(57)【要約】      （修正有）【課題】電磁接触器の劣化や故障を抑制することができる可搬式保冷庫を提供することである。【解決手段】可搬式保冷庫は、受付部１０と、整流部９２と、蓄電池９２と、充電部７６と、冷却部４８と、スイッチ部とを持つ。受付部は、三相交流を受け付ける。整流部は、前記受付部により受け付けられた三相交流の一部を直流に整流する。蓄電池は、電力を蓄える。充電部は、前記整流部により整流された直流を用いて前記蓄電池を充電する。冷却部は、前記三相交流により駆動され、筐体内部を冷却する。スイッチ部は、前記蓄電池と前記充電部との双方に接続され、前記蓄電池または前記充電部から流れる電流を用いて作動し、前記受付部により受け付けられた前記三相交流を前記冷却部に供給するか否かを切り替える。【選択図】図３
2017053604.tif 000002
【特許請求の範囲】
【請求項１】
保冷室を有する筐体を備え、該筐体に、
三相交流を受け付ける受付部と、
前記受付部により受け付けられた三相交流の一部を直流に整流する整流部と、
電力を蓄える蓄電池と、
前記整流部により整流された直流を用いて前記蓄電池を充電する充電部と、
前記三相交流により駆動され、前記筐体の内部を冷却する冷却部と、
前記蓄電池と前記充電部との双方に接続され、前記蓄電池または前記充電部から流れる電流を用いて作動し、前記受付部により受け付けられた前記三相交流を前記冷却部に供給するか否かを切り替えるスイッチ部と、
を備える可搬式保冷庫。
【請求項２】
前記スイッチ部は、
前記三相交流が正相の場合に前記受付部により受け付けられた前記三相交流を前記冷却部に供給する第１の回路と、
前記三相交流が逆相の場合に前記受付部により受け付けられた前記三相交流を正相に切り替えて前記冷却部に供給する第２の回路と、
前記蓄電池または前記充電部から流れる電流を、前記第１の回路または前記第２の回路に導通させる導通部と、を有する、
請求項１記載の可搬式保冷庫。
【請求項３】
前記第１の回路および前記第２の回路は、１つの電磁コイルに電流が流れることで、三相に対応した三つの可動式接点が固定式接点に接続し導通する電磁接触器である、
請求項２記載の可搬式保冷庫。
【請求項４】
前記三相交流に異常があるか否かを判定し、前記三相交流に異常がある場合に前記冷却部を停止させる制御部であって、前記三相交流において生じる異常の想定継続期間よりも長い制御周期で前記冷却部を制御する制御部を、更に備える、
請求項１記載の可搬式保冷庫。
【請求項５】
前記冷却部は、前記三相交流により駆動され冷媒を循環させる圧縮機および前記冷媒により冷却される蓄冷材を有する、
請求項１から４のうちいずれか１項記載の可搬式保冷庫。
【発明の詳細な説明】
【技術分野】
【０００１】
本発明の実施形態は、可搬式保冷庫に関する。
【背景技術】
【０００２】
従来、外部から供給される三相交流を、電磁接触器を介して圧縮機に供給し、供給した三相交流により圧縮機が作動することで、筐体の内部を冷却する蓄冷材の温度を低下させる保冷庫が知られている。
【先行技術文献】
【特許文献】
【０００３】
【特許文献１】特開２０００−２２０９２３号公報
【発明の概要】
【発明が解決しようとする課題】
【０００４】
しかしながら、三相交流に欠相や瞬間的な断線等が生じた場合、電磁接触器の可動接点にチャタリングが生じ、電磁接触器が故障するおそれがある。
本発明が解決しようとする課題は、電磁接触器の劣化や故障を抑制することができる可搬式保冷庫を提供することである。
【課題を解決するための手段】
【０００５】
実施形態の可搬式保冷庫は、保冷室を有する筐体を備え、この筐体に、受付部と、整流部と、蓄電池と、充電部と、冷却部と、スイッチ部とを持つ。受付部は、三相交流を受け付ける。整流部は、前記受付部により受け付けられた三相交流の一部を直流に整流する。蓄電池は、電力を蓄える。充電部は、前記整流部により整流された直流を用いて前記蓄電池を充電する。冷却部は、前記三相交流により駆動され、筐体の内部を冷却する。スイッチ部は、前記蓄電池と前記充電部との双方に接続され、前記蓄電池または前記充電部から流れる電流を用いて作動し、前記受付部により受け付けられた前記三相交流を前記冷却部に供給するか否かを切り替える。
【図面の簡単な説明】
【０００６】
【図１】可搬式保冷庫１の外観を示す図。
【図２】図１のＡ−Ａ線に相当する断面図。
【図３】可搬式保冷庫１の機能構成を示す図。
【図４】調整回路１００の構成を示す図。
【図５】瞬間的な断線を伴う三相交流が電磁接触器に供給された場合の可動式接点の比較例を示す図。
【図６】制御部８０により実行される処理の流れを示すフローチャート。
【図７】可搬式保冷庫１Ａの構成図。
【図８】第２実施形態の制御部８０Ａにより実行される処理の流れを示すフローチャート。
【図９】三相交流のうちＲ相に異常が生じた場合の一例を示す図。
【発明を実施するための形態】
【０００７】
以下、実施形態の可搬式保冷庫を、図面を参照して説明する。
【０００８】
（第１の実施形態）
図１は、可搬式保冷庫１の外観を示す図である。可搬式保冷庫１は、例えば、筐体２の内部に生鮮食品等の保冷が必要な物品を収納して、物品の鮮度を保った状態で輸送するために使用される。可搬式保冷庫１は、物品を収納した状態でトラック等の配送車の荷台に積載され輸送される。可搬式保冷庫１は、例えば、筐体２と、扉４と、ハンドル６と、キャスタ８と、受付部であるコネクタ１０と、操作部１２とを備える。筐体２には、物品が収容される。扉４は、筐体２の開口部を開放状態または閉止状態にする。ハンドル６は、扉４の開閉操作に用いられる。キャスタ８は、筐体２を移動可能に支持する。利用者は、扉４を開放した状態で、筐体２の開口部を介して筐体２内に物品等を収容したり、筐体２内に収容された物品等を取り出したりすることができる。可搬式保冷庫１は、扉４を閉めることにより内部の気密を保った状態に維持することができる。
【０００９】
コネクタ１０には、例えば、電力供給元となる営業所や配送センターの外部電源Ｇから延出する電力線の先端に取り付けられたプラグが接続される。外部電源Ｇからコネクタ１０に供給される電力は、Ｒ相、Ｓ相、Ｔ相と表現される三相交流である。供給された三相交流は、コネクタ１０から整流回路７４（後述）に供給される。
【００１０】
図２は、図１のＡ‐Ａ線に相当する断面図である。可搬式保冷庫１の内部には、蓄冷室２０と、保冷室３０が設けられており、上部には機械室４０が設けられている。蓄冷室２０には、冷却器（不図示）と、蓄冷材２４とが設けられている。冷却器は、蓄冷材２４に覆われるように設けられ、機械室４０の熱交換機関である冷凍サイクル部品に接続されている。可搬式保冷庫１は、例えば蓄冷材２４を冷やしてから保冷室３０内の物品を冷やす。蓄冷材２４を冷やす段階では、後述する圧縮機４４が駆動されると冷却器が冷却され、蓄冷材２４が凍結状態となる。
【００１１】
保冷室３０は、物品等を収納し、収納した物品等を保冷する。保冷室３０には、ダクト３２が設けられることによって、循環流路３４が形成されている。また、循環流路３４には、庫内ファン３６が設けられる。庫内ファン３６は、循環流路３４において蓄冷材２４側からの冷気が保冷室３０内を循環するように（例えば図中、矢印方向に）送風する。庫内ファン３６は、複数個設けられ駆動台数が調整されることによって、保冷室３０内を循環する冷気の風量が調整されてもよい。
【００１２】
機械室４０には、制御ユニット６０と、蓄電池９２と、冷凍サイクル部品と、庫外ファンモータ（不図示）とが設置されている。冷凍サイクル部品は、例えば圧縮機４４や、放熱器４６、高圧スイッチ（不図示）などを備える。圧縮機４４は、三相モータを備え三相交流により駆動され冷媒を圧縮し、冷媒を循環させる。放熱器４６は、圧縮機４４により圧縮された冷媒を凝縮化して冷却する。庫外ファンモータは、外気を機械室４０内に向けて送風し、機械室４０の空気を送風する。なお、制御ユニット６０と、蓄電池９２とについては、図３を用いて後述する。また、以下、蓄冷材２４と圧縮機４４を含む冷凍サイクル部品とを筐体２の保冷室３０内部を冷却する冷却部４８と称する。
【００１３】
操作部１２は、モード切替えボタン、設定温度変更ボタン、表示部などを備える。操作部１２は、可搬式保冷庫１の各制御モードや、保冷室３０内の温度を設定操作するための操作部であり、利用者の操作に応じた信号を制御ユニット６０の制御部８０に出力する。操作部１２は、例えば冷凍運転を行う冷凍モードの設定や、冷蔵運転を行う冷蔵モードの設定、庫内温度の設定、庫内ファン３６の起動または停止の設定を受け付ける。また、操作部１２の表示部は、可搬式保冷庫１の異常時に点灯する異常点灯部や、設定されているモードを示すモード点灯部などを備える。各点灯部は、制御ユニット６０からの指示信号に基づいて点灯する。また、表示部は、保冷室３０内の保冷開始が可能な状態や、電池残量などの状態を示す表示を行う。
【００１４】
図３は、可搬式保冷庫１の機能構成を示す図である。外部電源Ｇに接続されたプラグがコネクタ１０に接続されると、後述する調整回路１００を介して可搬式保冷庫１の圧縮機４４に三相交流が供給される。圧縮機４４は、供給された三相交流の電力を用いて駆動されることにより、蓄冷材２４の温度を低下させる。そして、制御ユニット６０は、蓄冷材２４が所定温度以下になったときに圧縮機４４の駆動を停止する。
【００１５】
また、制御ユニット６０は、供給された三相交流の電力を用いて蓄電池９２を充電するように電源部７０のチャージユニット７６を制御する。制御ユニット６０は、蓄電池９２の蓄電量が所定値を超えると、蓄電池９２の充電を停止する。また、制御ユニット６０は、庫内ファン３６の駆動または停止を制御する。また、制御ユニット６０は、第１保護回路７２を介して入力される三相交流を監視する。
【００１６】
外部電源Ｇに接続されたプラグがコネクタ１０に接続されていない状態（取り外された状態）では、蓄電池９２から庫内ファン３６に電力が供給される。この状態で制御ユニット６０が庫内ファン３６を駆動すると、蓄冷材２４の冷気が保冷室３０内を循環して、保冷室３０内は保冷される。なお、庫内ファン３６の駆動は、三相交流が供給されている状態において行われてもよい。
【００１７】
制御ユニット６０は、電源部７０と、制御部８０とを備える。電源部７０は、第１保護回路７２と、整流回路７４と、充電部であるチャージユニット７６と、第２保護回路７８とを備える。
【００１８】
コネクタ１０を介して外部電源Ｇから供給された電力は、第１保護回路７２を介して整流回路７４と制御部８０の欠相判定回路８４へ供給される。また、第１保護回路７２は、過負荷や、過電圧、過電流などの異常時に、制御部８０の制御によって三相交流を遮断するためのスイッチ等を備えてよい。三相交流は、第１保護回路７２を介して整流回路７４に入力される。
【００１９】
整流回路７４は、第１保護回路７２を介して入力された三相交流を整流して直流に変換する。整流回路７４は、整流した直流をチャージユニット７６に出力する。また、整流回路７４は、自回路の状態を検出し、検出結果を制御部８０に出力する。なお、整流回路７４としては、例えば三相全波整流回路や、三相半波整流回路などが用いられる。このため、三相交流電源が逆相、欠相の場合でも直流出力が可能となっている。チャージユニット７６は、例えばスイッチング回路を備え、整流回路７４により整流された直流を所望の電流や電圧などに変換して、第２保護回路７８を介して蓄電池９２に出力することにより、蓄電池９２を充電する。チャージユニット７６は、制御部８０または調整回路１００に電力を供給してもよい。
【００２０】
第２保護回路７８は、チャージユニット７６から入力された直流の電圧や電流などを検出し、検出結果を制御部８０に出力する。また、第２保護回路７８は、過負荷や、過電圧、過電流などの異常時に、制御部８０の制御によって直流を遮断するためのスイッチ等を備えてもよい。
【００２１】
制御部８０は、処理部８２と、欠相判定部８４と、逆相判定部８６とを備える。処理部８２は、可搬式保冷庫１の各部により出力された信号を取得し、取得した信号に基づいて、各部を制御する。欠相判定部８４は、三相交流の欠相を検出し、検出結果に応じた制御信号を出力する。逆相判定部８６は、三相交流の逆相を検出し、検出結果に応じた制御信号を出力する。制御部８０の各部が実行する処理の詳細については後述する。制御部８０の各機能部は、例えば、可搬式保冷庫１が備えるＣＰＵ（Central Processing Unit）等のプロセッサがプログラムメモリに格納されたプログラムを実行することで実現される。また、制御部８０の各機能部のうち一部または全部は、ＬＳＩ（Large Scale Integration）やＡＳＩＣ（Application Specific Integrated Circuit）、ＦＰＧＡ（Field-Programmable Gate Array）などのハードウェアで実現されてもよい。
【００２２】
また、可搬式保冷庫１は、供給遮断回路９０と、蓄電池９２と、各種機器９４と、調整回路１００とを備える。供給遮断回路９０は、蓄電池９２に蓄電された蓄電量が所定値以下となった場合、制御部８０の制御によって、蓄電池９２から庫内ファン３６に供給される電力の供給を遮断する。なお、第１保護回路７２、第２保護回路７８、および供給遮断回路９０の動作は、制御部８０の制御によるのではなく、各回路が自動的に行うように構成されてもよい。また、蓄電池９２内には図示しないシャットダウン回路が設けられており、蓄電池９２に蓄電されている蓄電量が所定値以下となった場合、制御部８０の制御信号によって、蓄電池９２から庫内ファン３６及び制御部８０への電力の供給を遮断することができる。これにより、蓄電池９２内の蓄電量が完全になくなる前に外部への放電を抑えることができ、蓄電池９２の保護を可能としている。
【００２３】
蓄電池９２は、チャージユニット７６によって充電される。蓄電池９２は、蓄電した電力を各部に供給する。蓄電池９２は、例えば、正極側にマンガンを、負極側にチタン酸リチウムを用いたリチウムイオン電池である。この態様のリチウムイオン電池を使用することにより、充放電速度を高速にすることができ、可搬式保冷庫１を使用可能にするまでのスタンバイ期間を短縮することができる。また、蓄電池９２は、他の態様のリチウムイオン電池であってもよいし、ナトリウムイオン電池等のその他の非水電解質二次電池であってもよい。
【００２４】
調整回路１００は、コネクタ１０を介して外部より供給された三相交流を制御し、三相交流を圧縮機４４に供給する。調整回路１００は、蓄電池９２から供給される電流を用いて作動する。なお、調整回路１００は、チャージユニット７６または制御部８０から電流の供給を受けて作動してもよい。また、調整回路１００は、三相交流における過負荷や、過電圧、過電流などの異常時に、三相交流の受付を遮断する。
【００２５】
図４は、調整回路１００の構成を示す図である。調整回路１００は、供給回路１０２と、スイッチ部１１０とを備える。供給回路１０２は、第１の電磁接触器１０４と、第２の電磁接触器１０６とを有する。第１の電磁接触器１０４は、コネクタ１０から供給された正相の三相交流を圧縮機４４に供給する。第１の電磁接触器１０４は、例えば電磁コイル１２０と、外部電源ＧのＲ相と圧縮機４４のモータのＲｍ相を接続する可動接点１２２と、外部電源ＧのＳ相と圧縮機４４のモータのＳｍ相を接続する可動接点１２４と、外部電源ＧのＴ相と圧縮機４４のモータのＴｍ相を接続する可動接点１２６とを有する。後述するスイッチ部１１０の第１スイッチ１１２から電磁コイル１２０に電流が流れると、可動接点１２２、１２４および１２６は、電磁誘導により固定接点に引き寄せられて導通状態となる。
【００２６】
第２の電磁接触器１０６は、コネクタ１０から供給された逆相の三相交流を正相の三相交流に変換して圧縮機４４に供給する。第２の電磁接触器１０６は、コネクタ１０から供給された逆相の三相交流を正相に変換して圧縮機４４に供給する。第２の電磁接触器１０４は、例えば電磁コイル１２１と、外部電源ＧのＴ相と圧縮機４４のモータのＲｍ相を接続する可動接点１２３と、外部電源ＧのＳ相と圧縮機４４のモータのＳｍ相を接続する可動接点１２５と、外部電源ＧのＲ相と圧縮機４４のモータのＴｍ相を接続する可動接点１２７とを有する。後述のスイッチ部１１０の第２スイッチ１１４から電磁コイルに電流が流れると、Ｒ相、Ｓ相、およびＴ相に対応して設けられた可動接点が、所定の固定接点に引き寄せられて導通状態となる接触器である。第１の電磁接触器１０４、および第２の電磁接触器１０６は、制御部８０の制御によって制御される。
【００２７】
スイッチ部１１０は、蓄電池９２と、電源部７０との双方に接続される。スイッチ部１１０は、蓄電池９２または電源部７０から供給される電流を用いて作動し、コネクタ１０により受け付けられた三相交流を冷却部４８に供給するか否かを切り替える。スイッチ部１１０は、第１スイッチ１１２と、第２スイッチ１１４とを備える。第１スイッチ１１２は、制御部８０から指示信号に基づいて、オンまたはオフに制御される。第１スイッチ１１２は、オン状態の場合、蓄電池９２または電源部７０から第１の電磁接触器１０４に電流を流す。第１スイッチ１１２は、オフ状態の場合、蓄電池９２または電源部７０と第１の電磁接触器１０４との導通を遮断する。第２スイッチ１１４は、制御部８０から指示信号に基づいて、オンまたはオフに制御される。第２スイッチ１１４は、オン状態の場合、蓄電池９２から第２の電磁接触器１０６に電流を流す。第２スイッチ１１４は、オフ状態の場合、蓄電池９２と供給回路１０２との導通を遮断する。
【００２８】
ところで、外部電源Ｇから第１、第２の電磁接触器１０４、１０６を介して圧縮機４４に電力を与える場合、外部電源Ｇに接続されたプラグとコネクタ１０との接続状態によっては、コネクタ１０から供給される三相交流に欠相や瞬間的な断線等が生じる場合がある。図５の上図は、瞬間的な断線を伴う三相交流が電磁接触器に供給された場合の可動式接点の状態を例示した図である。縦軸は可動式接点のオンまたはオフ状態を示し、横軸は時間を示している。上図に示すように、瞬間的な断線を伴う三相交流が電磁接触器に供給された場合、可動式接点はオンとオフとを繰り返す。ここで従来技術のように、第１、第２の電磁接触器１０４、１０６の動作電力を外部電源Ｇから直接供給している場合、電磁接触器の可動接点にチャタリングが発生し、電磁接触器の可動接点が溶融したり、溶着したりする場合がある。この結果、電磁接触器が劣化したり、電磁接触器が故障したりする場合がある。
【００２９】
これに対して、本実施形態の可搬式保冷庫１は、制御部８０の指示信号に基づいて、スイッチ部１１０がオン状態となり、蓄電池９２または電源部７０から供給回路１０２に電流が流れる。この場合、図５の下図に示すように供給回路１０２の可動式接点は、蓄電池９２または電源部７０からの電流によって、安定的にオン状態に制御される。これにより、コネクタ１０から欠相や瞬間的な断線を伴った三相交流が供給された場合であっても、電磁接触器にチャタリングが生じることを抑制させることができる。この結果、供給回路１０２の電磁接触器の可動接点が溶融したり、溶着したりすることを防止させることができる。
【００３０】
図３の説明に戻る。各種機器９４は、スピーカ９６と、各種センサ９７とを有する。スピーカ９６は、制御部８０により出力された信号に基づいて、例えば可搬式保冷庫１に異常がある場合に、異常を知らせる警報を出力する。
【００３１】
各種センサ９７は、例えば蓄冷室２０に設けられ、蓄冷材２４の温度を検出する蓄冷材温度センサや、保冷室３０に設けられ、保冷室３０内の温度を検出する庫内温度センサ、機械室４０に設けられ、外気の温度を検出する外気温度センサ、冷凍サイクル部品の異常を検出する冷凍サイクル部品センサ、可搬式保冷庫１が備える各回路の異常を検出する回路異常検出センサ、各電気機器および冷凍サイクル部品の異常を検出する検出センサなどを含む。
【００３２】
以下、制御部８０の各機能により実行される処理について説明する。図６は、制御部８０により実行される処理の流れを示すフローチャートである。まず、制御部８０の処理部８２が、可搬式保冷庫１に三相交流が投入されるまで待機する（ステップＳ１００）。処理部８２は、電源部７０から三相交流が入力されているか否かを判定することにより、三相交流の投入を判定する。三相交流が投入されると、処理部８２は、初期設定モードを取得する（ステップＳ１０２）。初期設定モードとは、例えば利用者により選択された制御モードであり、設定温度、圧縮機４４の駆動中に庫内ファン３６を駆動するか否か、などを指定するモード情報である。
【００３３】
次に、欠相判定部８４が、電源回路７０からの入力電流を検知し三相交流に欠相があるか否かを判定する（ステップＳ１０４）。ここで、欠相判定部８４は、例えば、電源部７０から供給される電流を検知するもので、第１保護回路７２からの出力電流を利用し欠相状態を検知する。三相交流に欠相がない場合、ステップＳ１０８の処理に進む。三相交流に欠相がある場合、欠相判定部８４は、欠相していることを示す表示を操作部１２の異常点灯部に表示させる（ステップＳ１０６）。これにより、欠相した交流を用いて圧縮機４４が駆動されることを防止することができるため、圧縮機４４の故障や、誤動作を防止することができる。
【００３４】
次に、逆相判定部８６が、電源部７０を介して、受け付けた三相交流が逆相状態であるか否かを判定する（ステップＳ１０８）。三相交流が逆相状態であると判定された場合、処理部８２は、三相交流の相入れ替えを行うために、第２の電磁接触器１０６を選択する（ステップＳ１１０）。三相交流が逆相状態でないと判定された場合、処理部８２は、第１の電磁接触器１０４を選択する（ステップＳ１１２）。次に、処理部８２は、１つ前の処理で選択した電磁接触器１０４または１０６に対応するスイッチ部１１０をオン状態に制御し（ステップＳ１１４）、ステップＳ１１０またはＳ１１２で選択した電磁接触器をオン状態に制御する（ステップＳ１１６）。これにより本フローチャートの処理は終了する。
【００３５】
以上説明した第１の実施形態によれば、可搬式保冷庫１は、制御部８０が、蓄電池９２またはチャージユニット７６から供給される電流を用いて作動するスイッチ部１１０をオン状態に制御することで、蓄電池９２またはチャージユニット７６から供給回路１０２に電流が流れる。供給回路１０２の電磁接触器１０４または１０６は、コネクタ１０から供給される三相交流に欠相や瞬間的な断線が生じる場合であっても、蓄電池９２またはチャージユニット７６から流れる電流によって、安定的にオン状態に制御される。この結果、可搬式保冷庫１は、チャタリングが生じることを抑制させることができため、電磁接触器の劣化や故障を抑制することができる。
【００３６】
（第２の実施形態）
以下、第２の実施形態について説明する。ここでは、第１の実施形態との相違点を中心に説明し、第１の実施形態との共通する機能等についての説明は省略する。第２の実施形態では、更に異常判定部８８を備え、異常判定部８８が、コネクタ１０から供給されている三相交流の異常を判定する。
【００３７】
図７は、可搬式保冷庫１Ａの構成図である。可搬式保冷庫１Ａは、第１の実施形態の制御部８０に代えて、制御部８０Ａを備える。制御部８０Ａは、第１の実施形態の機能に加え、更に異常判定部８８を備える。異常判定部８８は、コネクタ１０から供給されている三相交流に異常があるか否かを判定する。処理部８２は、三相交流に異常がある場合に、三相交流において生じる欠損の想定継続期間よりも長い制御周期で冷却部４８を制御する。処理部８２は、異常判定部８８により三相交流に異常があると判定された場合に圧縮機４４を停止させる。
【００３８】
以下、制御部８０の各機能により実行される処理について説明する。図８は、第２実施形態の制御部８０Ａにより実行される処理の流れを示すフローチャートである。まず、制御部８０の処理部８２が、可搬式保冷庫１に三相交流が投入されるまで待機する（ステップＳ２００）。三相交流が投入されると、処理部８２は、初期設定モードを取得する（ステップＳ２０２）。次に、欠相判定部８４が、三相交流に欠相があるか否かを判定する（ステップＳ２０４）。三相交流に欠相がない場合、ステップＳ２０８の処理に進む。三相交流に欠相がある場合、欠相判定部８４は、欠相していることを示す表示を操作部１２の表示部に表示させる（ステップＳ２０６）。
【００３９】
次に、逆相判定部８６が、電源部７０を介して、受け付けた三相交流が逆相状態であるか否かを判定する（ステップＳ２０８）。三相交流が逆相状態である場合、逆相判定部８６は、三相交流の相入れ替えを行うために、第２の電磁接触器１０６を選択する（ステップＳ２１０）。三相交流が逆相状態でない場合、逆相判定部８６は。第１の電磁接触器１０４を選択する（ステップＳ２１２）。次に、処理部８２は、１つ前の処理で選択した電磁接触器に対応するスイッチ部１１０をオン状態に制御し（ステップＳ２１４）、ステップＳ２１０またはＳ２１２で選択した電磁接触器をオン状態に制御する（ステップＳ２１６）。
【００４０】
次に、異常判定部８８は、コネクタ１０から供給される三相交流に異常が存在するか否かを判定する（ステップＳ２１８）。例えば、異常判定部８８は、コネクタ１０から供給される三相交流に欠相や瞬間的な断線等の異常が生じているか否かを判定する。図９は、三相交流のうちＲ相に異常が生じた場合の一例を示す図である。縦軸は電圧を示し、横軸は時間を示している。時間Ｔの間に、電圧が閾値Ｔｈ以下となった回数が所定回数以上となった場合、異常判定部８８は、コネクタ１０から供給される三相交流に異常が存在すると判定する。なお、電圧が閾値Ｔｈ以下となった時間が所定時間以上となった場合、異常判定部８８は、コネクタ１０から供給される三相交流に異常が存在すると判定してもよい。
【００４１】
コネクタ１０から供給される三相交流に異常が存在すると判定された場合、処理部８２が、スイッチ部１１０をオフ状態にし（ステップＳ２２０）、圧縮機４４を停止させて（ステップＳ２２２）、ステップＳ２１８の処理に戻る。処理部８２は、例えば、三相交流において生じる異常の想定継続期間よりも時間Ｔを長く設定する。時間Ｔは、制御周期の一例である。想定継続期間とは、予め外部電源Ｇの性質等に依存して経験則により得られる期間である。これによって、可搬式保冷庫１Ａは、偶々制御周期が、短時間の間だけ生じる異常の発生期間に嵌ってしまうことで、圧縮機４４を頻繁に停止してしまうことを抑制することができる。この結果、可搬式保冷庫１Ａは、圧縮機４４の故障や劣化を抑制することができる。
【００４２】
コネクタ１０から供給される三相交流に異常が存在しないと判定された場合、処理部８２は、三相交流の投入が停止されたか否かを判定する（ステップＳ２２４）。三相交流の投入が停止されていない場合、ステップＳ２１８の処理に進み、三相交流の投入が停止された場合、本フローチャートの処理は終了する。
【００４３】
以上説明した第２の実施形態によれば、制御部８０が、圧縮機４４に供給される三相交流に異常が存在するか否かを判定し、異常があると判定した場合、圧縮機４４を停止させる。この結果、第１の実施形態の効果を奏すると共に圧縮機４４の劣化や故障を抑制させることができる。
【００４４】
以上説明した少なくともひとつの実施形態によれば、保冷室を有する筐体を備え、この筐体に、三相交流を受け付ける受付部と、受付部により受け付けられた三相交流の一部を直流に整流する整流部と、電力を蓄える蓄電池と、整流部により整流された直流を用いて蓄電池を充電する充電部と、三相交流により駆動され、筐体の内部を冷却する冷却部と、蓄電池と充電部との双方に接続され、蓄電池または充電部から流れる電流を用いて作動し、受付部により受け付けられた三相交流を冷却部に供給するか否かを切り替えるスイッチ部とを持つことにより、電磁接触器の劣化や故障を抑制することができる。
【００４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４６】
Ｇ…外部電源、１…可搬式保冷庫、２…筐体、１０…コネクタ、１２…操作部、２４…蓄冷材、３６…庫内ファン、４４…圧縮機、４６…放熱器、４８…冷却部、６０…制御ユニット、７０…電源部、７２…第１保護回路、７４…整流回路、７６…チャージユニット、７８…第２保護回路、８０…制御部、８２…処理部、８４…欠相判定部、８６…逆相判定部、９０…供給遮断回路、９２…蓄電池、９６…スピーカ、９４…各種機器
【図１】
2017053604.tif 000003
【図２】
2017053604.tif 000004
【図３】
2017053604.tif 000005
【図４】
2017053604.tif 000006
【図５】
2017053604.tif 000007
【図６】
2017053604.tif 000008
【図７】
2017053604.tif 000009
【図８】
2017053604.tif 000010
【図９】
2017053604.tif 000011